(57)【要約】【課題】折りたたみが可能で、持ち運びや保管性に優れどこでも簡単かつ容易に設置できる機動性のある車両強制停止装置の構造を提案する。【解決手段】ベース部１１と、前記ベースに立設された車両止め部２０と、前記車両止め部に取り付けられた車両受け部３０とを備え、前記車両受け部３０は、前記車両止め部２０に対して斜め前方へ延びて固定される固定位置３０Ａと該車両止め部と重なり合う折りたたみ位置３０Ｂとの間を位置移動可能に設けられている。【選択図】      図４
0003137897.tif 000002
【実用新案登録請求の範囲】
【請求項１】
ベース部（１１）と、
前記ベース部に立設された車両止め部（２０）と、
前記車両止め部に取り付けられた車両受け部（３０）とを備え、
前記車両受け部（３０）は、前記車両止め部（２０）に対して斜め前方へ延びて固定される固定位置（３０Ａ）と該車両止め部と重なり合う折りたたみ位置（３０Ｂ）との間を位置移動可能に設けられている
ことを特徴とする車両強制停止装置。
【請求項２】
前記車両止め部に柱部材（２１）を有するとともに前記車両受け部には脚部材（３１）を有し、前記脚部材が前記柱部材に対し摺動可能に設けられた請求項１に記載の車両強制停止装置。
【請求項３】
前記柱部材に摺動溝（２５）を有するとともに前記脚部材には前記摺動溝内を移動する突部（３５）が形成されている請求項２に記載の車両強制停止装置。
【請求項４】
前記柱部材と脚部材を複数有する請求項２又は３に記載の車両強制停止装置。
【請求項５】
前記柱部材と脚部材とがリンク棒（４０）で連接されている請求項２ないし４のいずれか１項に記載の車両強制停止装置。
【請求項６】
前記柱部材が前記ベース部に軸着（１５）され前後方向に回動可能である請求項２ないし５のいずれか１項に記載の車両強制停止装置。
【請求項７】
前記固定位置（３０Ａ）において前記脚部材に前記柱部材の係止部（２８）への係着部（３８）を有する請求項２ないし６のいずれか１項に記載の車両強制停止装置。
【請求項８】
前記柱部材の係止部が柱部材の横軸部材（２９）である請求項７に記載の車両強制停止装置。
【請求項９】
前記折りたたみ位置（３０Ｂ）において前記柱部材と前記脚部材とがほぼ同長で重なり合うように構成された請求項２ないし８のいずれか１項に記載の車両強制停止装置。
【考案の詳細な説明】
【技術分野】
【０００１】
この考案は道路等に配置される車両強制停止装置に関する。
【背景技術】
【０００２】
道路工事、特に道路の拡張工事などで車線規制を行う際に、誤って車両が進入してきた場合に備えて作業者の安全を確保するために車両を強制的に停止させるための手段を施す必要がある。従来では、クッションドラムや標識車などがこの役割を有しているが、本出願人は、先に、進入車両の下部に潜り込み車両の走行をブロックして強制的に停止させる装置を提案した（特許文献１、２、３）。
【０００３】
この提案装置は、車両止め部と一体に設けられた車両受け部が進入車両の下部に潜り込んでテコの原理を利用して走行をブロックするものであるから、侵入車両の横転を防ぎ安全に止めることができるという大きな利点があるほか、衝突時に停止部材が弾きとばされ飛散することによる二次的・付随的なトラブルや事後処理を低減できる利点があり、高い効果が期待されている。
【特許文献１】特開２００６−１３２１７２
【特許文献２】意匠登録第１２５８９１８号
【特許文献３】意匠登録第１２７４４８４号
【考案の開示】
【考案が解決しようとする課題】
【０００４】
この考案は、さらに、折りたたみが可能で、持ち運びや保管性に優れどこでも簡単かつ容易に設置できる機動性のある車両強制停止装置の構造を提案するものである。
【課題を解決するための手段】
【０００５】
すなわち、請求項１の考案は、ベース部（１１）と、前記ベース部に立設された車両止め部（２０）と、前記車両止め部に取り付けられた車両受け部（３０）とを備え、前記車両受け部（３０）は、前記車両止め部（２０）に対して斜め前方へ延びて固定される固定位置（３０Ａ）と該車両止め部と重なり合う折りたたみ位置（３０Ｂ）との間を位置移動可能に設けられていることを特徴とする車両強制停止装置に係る。
【０００６】
請求項２の考案は、前記車両止め部に柱部材（２１）を有するとともに前記車両受け部には脚部材（３１）を有し、前記脚部材が前記柱部材に対し摺動可能に設けられた請求項１に記載の車両強制停止装置に係る。
【０００７】
請求項３の考案は、前記柱部材に摺動溝（２５）を有するとともに前記脚部材には前記摺動溝内を移動する突部（３５）が形成されている請求項２に記載の車両強制停止装置に係る。
【０００８】
請求項４の考案は、前記柱部材と脚部材を複数有する請求項２又は３に記載の車両強制停止装置に係る。
【０００９】
請求項５の考案は、前記柱部材と脚部材とがリンク棒（４０）で連接されている請求項２ないし４のいずれか１項に記載の車両強制停止装置に係る。
【００１０】
請求項６の考案は、前記柱部材が前記ベース部に軸着（１５）され前後方向に回動可能である請求項２ないし５のいずれか１項に記載の車両強制停止装置に係る。
【００１１】
請求項７の考案は、前記固定位置（３０Ａ）において前記脚部材に前記柱部材の係止部（２８）への係着部（３８）を有する請求項２ないし６のいずれか１項に記載の車両強制停止装置に係る。
【００１２】
請求項８の考案は、前記柱部材の係止部が柱部材の横軸部材（２９）である請求項７に記載の車両強制停止装置に係る。
【００１３】
請求項９の考案は、前記折りたたみ位置（３０Ｂ）において前記柱部材と前記脚部材とがほぼ同長で重なり合うように構成された請求項２ないし８のいずれか１項に記載の車両強制停止装置に係る。
【考案の効果】
【００１４】
請求項１の考案に係る車両強制停止装置によれば、ベース部（１１）と、前記ベース部に立設された車両止め部（２０）と、前記車両止め部に取り付けられた車両受け部（３０）とを備え、前記車両受け部（３０）は、前記車両止め部（２０）に対して斜め前方へ延びて固定される固定位置（３０Ａ）と該車両止め部と重なり合う折りたたみ位置（３０Ｂ）との間を位置移動可能に設けられているものであるから、折りたたみが可能で、持ち運びや保管性に優れどこでも簡単かつ容易に設置できる機動性のある装置として利用することができる。
【００１５】
請求項２の考案によれば、請求項１において、前記車両止め部に柱部材（２１）を有するとともに前記車両受け部には脚部材（３１）を有し、前記脚部材が前記柱部材に対し摺動可能に設けられたものであるから、折りたたみを簡単かつ確実に行うことができる。
【００１６】
請求項３の考案によれば、請求項２において、前記柱部材に摺動溝（２５）を有するとともに前記脚部材には前記摺動溝内を移動する突部（３５）が形成されているものであるから、折りたたみ機能がさらに簡単かつ確実となる。
【００１７】
請求項４の考案は、請求項２又は３において、前記柱部材と脚部材を複数有するものであるから、車両強制停止装置の構造的強度を高めることができる。
【００１８】
請求項５の考案によれば、請求項２ないし４のいずれかにおいて、前記柱部材と脚部材とがリンク棒（４０）で連接されているものであるから、車両強制停止装置の構造的強度をさらに高めることができる。
【００１９】
請求項６の考案によれば、請求項２ないし５のいずれかにおいて、前記柱部材が前記ベース部に軸着（１５）され前後方向に回動可能であるから、車両衝突時に柱部材が傾動してもベース部は地表面にしっかりと接地でき、ブロック性を確保することができる。
【００２０】
請求項７の考案によれば、請求項２ないし６のいずれかにおいて、前記固定位置（３０Ａ）において前記脚部材に前記柱部材の係止部（２８）への係着部（３８）を有するものであるから、固定位置を確実に保持することができる。
【００２１】
請求項８の考案によれば、請求項７において、前記柱部材の係止部が柱部材の横軸部材（２９）であるから、柱部材の強化ととともに固定位置の確保ができる。
【００２２】
請求項９の考案によれば、請求項２ないし８のいずれかにおいて、前記折りたたみ位置（３０Ｂ）において前記柱部材と前記脚部材とがほぼ同長で重なり合うように構成されたものであるから、最もコンパクトで効果的な折りたたみ機能を有する装置とすることができる。
【考案を実施するための最良の形態】
【００２３】
以下添付の図面に従ってこの考案を詳細に説明する。
図１はこの考案の実施例に係る車両強制停止装置の全体斜視図、図２はその固定位置を表す側面図、図３は固定位置を外した状態の側面図、図４は折りたたみ位置を表す側面図である。
【００２４】
図１に示す車両強制停止装置１０は、この考案の一実施例を表すもので、いずれもアルミ等の金属を主体とする材質から構成され、ベース部１１と、前記ベース部に立設された車両止め部２０と、前記車両止め部に取り付けられた車両受け部３０とを備える。そして、前記車両受け部３０は、前記車両止め部２０に対して斜め前方へ延びて固定される固定位置３０Ａ（図２）と該車両止め部と重なり合う折りたたみ位置３０Ｂ（図４）との間を位置移動可能に設けられたものである。
【００２５】
ベース部１１は、侵入車両の衝突時には接地面との摩擦力によってブロック性を発揮する部分であって、接地面となる裏面に摩擦力を高めるゴム等の材質あるいは凹凸構造等を選択することができる。車両止め部２０はベース１１に立設されていて侵入車両の衝突時には車両前部を止める部分である。また、車両受け部３０は車両止め部２０に取り付けられていて侵入車両の下部に潜り込み車両前部を受ける部分である。これらの構成よりなる車両強制停止装置１０は、前述したように、車両止め部２０と一体に設けられた車両受け部３０が進入車両の下部に潜り込んでテコの原理を利用して走行をブロックするものである。この装置は、侵入車両の横転を防ぎ安全に停止させることができるとともに、衝突時に停止部材が弾きとばされ飛散することによる二次的・付随的なトラブルや事後処理を大幅に低減できる大きな利点がある。
【００２６】
図示の車両強制停止装置１０は、請求項２の考案として規定したように、前記車両止め部に柱部材２１を有するとともに前記車両受け部には脚部材３１を有し、前記脚部材が前記柱部材に対し摺動可能に設けられたものである。
【００２７】
また、その摺動構造としては、請求項３の考案として規定したように、前記柱部材２１に摺動溝２５を有するとともに前記脚部材３１には前記摺動溝２５内を移動する突部３５が形成されているものが好ましい。これによって、確実な摺動が可能となる。実施例では、柱部材２１の左右両側に摺動溝２５，２５が形成されており、これに対応する脚部材３１にも左右両側に突部３５が形成されている。
【００２８】
さらに、車両強制停止装置の構造的強度を高めるために、請求項４の考案として規定したように、前記柱部材２１と脚部材３１を複数有するものとすることができる。図示の例では柱部材２１及び脚部材３１をそれぞれ３本ずつ配置したが、任意の本数を選択することができる。２本の柱部材２１及び脚部材３１を有する小型タイプのものを複数台現場に設置するようにしてもよい。図において、符号２８，２９は複数の柱部材２１，２１を接続する横軸部材、３３は複数の脚部材３１，３１を接続する横軸部材である。
【００２９】
また、前記柱部材２１及び脚部材３１の結合の構造的強度を高め、折りたたみ性能を向上させるためには、図示し、請求項５の考案として規定したように、柱部材２１と脚部材３１とがリンク棒４０で連接することが好ましく奨められる。実施例では、対応する各柱部材２１と脚部材３１について両側から２本のリンク棒４０，４０が連接されている。
【００３０】
さらに、請求項６の考案として規定したように、前記柱部材２１が前記ベース部１１に対して軸着１５され前後方向に回動可能とすることによって、車両衝突時に柱部材１１が傾動してもベース部１１は地表面にしっかりと接地でき、ブロック性を高めることが可能である。実施例の柱部材２１はベース部１１に一体に形成された立上部１２に挟着されて軸着されている。符号１５は軸着部で、前記したリンク棒４０の軸部を兼ねている。
【００３１】
車両受け部３０の固定位置３０Ａにおいては、請求項７の考案として規定したように、前記脚部材３１に前記柱部材２１の係止部２８への係着部３８を形成することが位置固定を確実に保持する上で好ましい。実施例では脚部材３１の両側に係着部３８が形成されている。
【００３２】
この場合において、請求項８の考案のように、前記柱部材２１の係止部２８が柱部材の横軸部材２９とすれば、柱部材２１の強化ととともに固定位置の確保が可能となる。なお、図１の符号２９Ａは横軸部材が突出しない両端の柱部材２１外面に形成された係着用突部であり、３９はロック穴（図示せず）に挿入されたロックピンである。
【００３３】
また、車両受け部３０の折りたたみ位置３０Ｂにおいては、請求項９の考案として規定し図４に図示したように、折りたたまれた脚部材３１と柱部材２１とがとがほぼ同長で重なり合うように構成すると、最もコンパクトで効果的な折りたたみ機能を発揮することができる。
【図面の簡単な説明】
【００３４】
【図１】図１は図１はこの考案の実施例に係る車両強制停止装置の全体斜視図である。
【図２】図２はその固定位置を表す側面図である。
【図３】図３は固定位置を外した状態の側面図である。
【図４】図４は折りたたみ位置を表す側面図である。
【符号の説明】
【００３５】
１０  車両強制停止装置
１１  ベース部
２０  車両止め部
２１  柱部材
２５  摺動溝
２８  係止部
３０  車両受け部
３０Ａ  固定位置
３０Ｂ  折りたたみ位置
３１  脚部材
３５  突部
３８  係着部
４０  リンク棒
【図１】
0003137897.tif 000003
【図２】
0003137897.tif 000004
【図３】
0003137897.tif 000005
【図４】
0003137897.tif 000006